(57)【要約】【課題】外壁材の張り仕舞い工事を効率良く簡単に行えるようにする。【解決手段】本発明の建物外壁の張り仕舞い用見切り金具１１は、建物１の軒天部８や窓周り部９の外壁材５０の張り仕舞い工事に使用される見切り金具であって、外壁材５０の上端部２７の外面に宛がわれる、外面に沿った垂直方向Ｚに延びる見切り板２１と、見切り板２１の基端部から外壁材５０の厚みＴ分、内方に折り曲げて水平方向Ｙに延びる水平折曲げ部２２と、水平折曲げ部２２の終端を斜め外方に折り返し、その先端２５ａを外壁材５０の上端面２７ａに当接させるバネ性を有する傾斜折曲げ部２３と、を備え、上記見切り金具１１は外壁材５０の設置後に取り付けられる後付け挿込み式の見切り金具によって構成されている。【選択図】  図２
2020090820.tif 000002
【特許請求の範囲】
【請求項１】
建物の軒天部や窓周り部の外壁材の張り仕舞い工事に使用される見切り金具であって、
外壁材の上端部の外面に宛がわれる、外面に沿った垂直方向に延びる見切り板と、
上記見切り板の基端部から外壁材の厚み分、内方に折り曲げて水平方向に延びる水平折曲げ部と、
上記水平折曲げ部の終端を斜め外方に折り返し、その先端を外壁材の上端面に当接させる、バネ性を有する傾斜折曲げ部と、を備え、
上記見切り金具は、外壁材の設置後に取り付けられる後付け挿込み式の見切り金具であることを特徴とする建物外壁の張り仕舞い用見切り金具。
【請求項２】
上記傾斜折曲げ部は、上記水平折曲げ部の終端に対して所定の第１折曲げ角度で接続される第１傾斜折曲げ部と、上記第１傾斜折曲げ部の終端に対して上記第１折曲げ角度より小さな第２折曲げ角度で接続される第２傾斜折曲げ部と、を備えていることを特徴とする請求項１記載の建物外壁の張り仕舞い用見切り金具。
【請求項３】
上記水平折曲げ部と上記傾斜折曲げ部との接続部には、その屈曲点を挟んで両者の一部に跨がる通気口が幅方向に所定ピッチで複数設けられていることを特徴とする請求項１または２記載の建物外壁の張り仕舞い用見切り金具。
【請求項４】
外壁材の張り仕舞い工事に使用される見切り金具を使用した建物の軒天部に適用される張り仕舞い構造であって、
外壁材の上端部と建物の軒天部との間の見切りに、上記請求項１〜３のいずれかに記載の後付け式の見切り金具を使用し、
外壁材の下端部の見切りに、先付け式の見切り金具を使用したことを特徴とする建物外壁の張り仕舞い構造。
【請求項５】
外壁材の張り仕舞い工事に使用される見切り金具を使用した建物の窓周り部に適用される張り仕舞い構造であって、
窓周り部の上部の軒天部に接続される外壁材に対しては、外壁材の上端部と建物の軒天部との間の見切りに、上記請求項１〜３のいずれかに記載の後付け式の見切り金具を使用し、外壁材の下端部の見切りに、先付け式の見切り金具を使用し、
窓周り部の下部の外壁材に対しては、外壁材の上端部と窓周り部との間の見切りに、上記請求項１〜３のいずれかに記載の後付け式の見切り金具を使用したことを特徴とする建物外壁の張り仕舞い構造。
【請求項６】
外壁材の張り仕舞い工事に使用される見切り金具を使用した建物の軒天部や窓周り部に適用される張り仕舞い部の施工方法であって、
建物の構造躯体における外壁材の下端部の取付け位置に先付け式の見切り金具を取り付ける見切り金具先付け工程と、
上記取り付けた先付け式の見切り金具に対して外壁材の下端部を挿入して支持させた状態で、外壁材の上方に必要な空間を確保し得る長さに切断した外壁材を構造躯体に取り付ける外壁材設置工程と、
上記外壁材上方の空間を埋めるように上記請求項１〜３のいずれかに記載の後付け式の見切り金具を外方から挿入して取り付ける見切り金具後付け工程と、を備えていることを特徴とする建物外壁の張り仕舞い部の施工方法。
【発明の詳細な説明】
【技術分野】
【０００１】
本発明は、建物の軒天部や窓周り部の外壁材の張り仕舞い工事において使用される建物外壁の張り仕舞い用見切り金具、該見切り金具を使用した張り仕舞い構造及び張り仕舞い部の施工方法に関する。
【背景技術】
【０００２】
建物の外壁工事等を行う場合には、外壁材として下記の特許文献１に開示されているようなサイディングボードが広く使用されている。サイディングボードとしては多種多様のデザイン、質感、色のものが用意されており、材質も従来からの窯業系サイディングボードに加えて、近年では角波板金等を使用した金属系サイディングボードが登場している。
【０００３】
そして、このような外壁材を建物の構造躯体に張設して行く場合の張り仕舞い部の処理に見切り金具が使用されている。このうち、建物の軒天部や窓周り部の上端部の見切りに使用される見切り金具としては、下記の特許文献２に開示されているように、見切り金具を先に構造躯体に取り付けてから外壁材を取り付ける先付け式の見切り金具が多く使用されていた。
【先行技術文献】
【特許文献】
【０００４】
【特許文献１】特開平１１−３１１０１０号公報
【特許文献２】特開平１０−２５２２５６号公報
【発明の概要】
【発明が解決しようとする課題】
【０００５】
しかし、このような先付け式の見切り金具１２を外壁材５０の上端部２７用の見切り金具として、図１２に示すように外壁材５０の下端部２８用の見切り金具１３と共に使用する場合、外壁材５０の高さ方向Ｚの長さＬを上端部２７用の見切り金具１２の見付け幅Ｗ分、短くしないと、上下の見切り金具１２、１３間のスペースに外壁材５０を納めることができなくなってしまう。従って、図示のように上端部２７用の見切り金具１２の内部に外壁材５０が存在しない空間１５が大きく現れる軒天部８の建物外壁の張り仕舞い構造１０３Ｂになってしまう。
【０００６】
また、図１３に示すように先付け式の見切り金具１２を上端部２７用の見切り金具として、下端部２８用の見切り金具１３を使用しない状態で使用する場合には、外壁材５０の下端部２８の位置が決まらないので外壁材５０の高さ方向Ｚの位置合わせが難しくなってしまう。また、下端部２８用の見切り金具１３を使用しないため、外壁材５０の下端部２８の切り口が露出してしまって見映えの悪い建物外壁の張り仕舞い構造１０３Ｃになってしまう。
【０００７】
本発明はこのような点に基づいてなされたものでその目的とするところは、建物の軒天部や窓周り部の外壁材の張り仕舞い工事に際して、外壁材の納まりが良く、外壁材の上端部に形成される空間の高さを小さくすることができ、施工が容易な建物外壁の張り仕舞い用見切り金具と、該見切り金具を使用した張り仕舞い構造及び張り仕舞い部の施工方法を提供することにある。
【課題を解決するための手段】
【０００８】
上記目的を達成すべく本発明の請求項１による建物外壁の張り仕舞い用見切り金具は、建物の軒天部や窓周り部の外壁材の張り仕舞い工事に使用される見切り金具であって、外壁材の上端部の外面に宛がわれる、外面に沿った垂直方向に延びる見切り板と、上記見切り板の基端部から外壁材の厚み分、内方に折り曲げて水平方向に延びる水平折曲げ部と、上記水平折曲げ部の終端を斜め外方に折り返し、その先端を外壁材の上端面に当接させる、バネ性を有する傾斜折曲げ部と、を備え、上記見切り金具は、外壁材の設置後に取り付けられる後付け挿込み式の見切り金具であることを特徴とするものである。
【０００９】
また、請求項２による建物外壁の張り仕舞い用見切り金具は、請求項１記載の建物外壁の張り仕舞い用見切り金具において、上記傾斜折曲げ部は、上記水平折曲げ部の終端に対して所定の第１折曲げ角度で接続される第１傾斜折曲げ部と、上記第１傾斜折曲げ部の終端に対して上記第１折曲げ角度より小さな第２折曲げ角度で接続される第２傾斜折曲げ部と、を備えていることを特徴とするものである。
【００１０】
また、請求項３による建物外壁の張り仕舞い用見切り金具は、請求項１または２記載の建物外壁の張り仕舞い用見切り金具において、上記水平折曲げ部と上記傾斜折曲げ部との接続部には、その屈曲点を挟んで両者の一部に跨がる通気口が幅方向に所定ピッチで複数設けられていることを特徴とするものである。
【００１１】
また、本発明の請求項４による建物外壁の張り仕舞い構造は、外壁材の張り仕舞い工事に使用される見切り金具を使用した建物の軒天部に適用される張り仕舞い構造であって、外壁材の上端部と建物の軒天部との間の見切りに、上記請求項１〜３のいずれかに記載の後付け式の見切り金具を使用し、外壁材の下端部の見切りに、先付け式の見切り金具を使用したことを特徴とするものである。
【００１２】
また、請求項５による建物外壁の張り仕舞い構造は、外壁材の張り仕舞い工事に使用される見切り金具を使用した建物の窓周り部に適用される張り仕舞い構造であって、窓周り部の上部の軒天部に接続される外壁材に対しては、外壁材の上端部と建物の軒天部との間の見切りに、上記請求項１〜３のいずれかに記載の後付け式の見切り金具を使用し、外壁材の下端部の見切りに、先付け式の見切り金具を使用し、窓周り部の下部の外壁材に対しては、外壁材の上端部と窓周り部との間の見切りに、上記請求項１〜３のいずれかに記載の後付け式の見切り金具を使用したことを特徴とするものである。
【００１３】
また、本発明の請求項６による建物外壁の張り仕舞い部の施工方法は、外壁材の張り仕舞い工事に使用される見切り金具を使用した建物の軒天部や窓周り部に適用される張り仕舞い部の施工方法であって、建物の構造躯体における外壁材の下端部の取付け位置に先付け式の見切り金具を取り付ける見切り金具先付け工程と、上記取り付けた先付け式の見切り金具に対して外壁材の下端部を挿入して支持させた状態で、外壁材の上方に必要な空間を確保し得る長さに切断した外壁材を構造躯体に取り付ける外壁材設置工程と、上記外壁材上方の空間を埋めるように上記請求項１〜３のいずれかに記載の後付け式の見切り金具を外方から挿入して取り付ける見切り金具後付け工程と、を備えていることを特徴とするものである。
【発明の効果】
【００１４】
そして、上記手段によって以下のような効果が得られる。即ち、本発明の建物外壁の張り仕舞い用見切り金具によると、前面に設けた見切り板によって外壁材の上端面の切り口が外部から見えなくなる、いわゆる「見切り」が行われる。また、見切り板から延びる水平折曲げ部と傾斜折曲げ部を、外壁材の上端面と軒天部や窓周り部との間の空間に挿し込むことによって傾斜折曲げ部が外壁材の上端面に当接して撓み変形し、その反発力を外壁材の端面と軒天部や窓周り部に伝えることで、必要な係止力が得られる。これにより、建物外壁の張り仕舞い用見切り金具をワンタッチで取り付けることが可能になって作業効率が大幅に向上する。
【００１５】
また、上記傾斜折曲げ部を、所定の第１折曲げ角度で折り曲げた第１傾斜折曲げ部と、該第１折曲げ角度より小さな第２折曲げ角度で折り曲げた第２傾斜折曲げ部と、を備えることによって形成した場合には、傾斜折曲げ部全体の高さを外壁材の上端面と軒天部や窓周り部との間の空間の高さに合わせる調整機能を、主に第２傾斜折曲げ部のバネ力による撓み変形によって行い、外壁材の上端面と軒天部や空周り部との間の空間の確保と、外壁材と外壁材背面の構造躯体との間の隙間の確保と、を行う支持部材としての機能を主に第１傾斜折曲げ部によって行うことが可能になる。
【００１６】
また、水平折曲げ部と傾斜折曲げ部との接続部に通気口を、幅方向に所定ピッチで複数設けた場合には、該通気口を利用して外壁材の内側からの風が外壁材の上端面の上方空間を通って外壁材の外側に抜けるため、建物の通気性が良くなる。
【００１７】
また、本発明の建物外壁の張り仕舞い構造によると、外壁材の上端部の見切りを後付け式の上記建物外壁の張り仕舞い用金具で行い、外壁材の下端部の見切りを先付け式の見切り金具によって行っている。従って、外壁材の上端部と下端部の見切りを先付け式の見切り金具を使用した場合に比べて、外壁材の高さ方向の長さを長く取ることができ、例えば外壁材の上端面の切り口が露出して外壁材の上端部の見切りが不完全になる事態が防止される。
そして、この効果は建物の軒天部と窓周り部の両方の外壁材の張り仕舞い部に適用される。
【００１８】
また、本発明の建物外壁の張り仕舞い部の施工方法によると、建物の構造躯体に取り付けた先付け式の見切り金具に下端部を支持させた状態で外壁材の高さ方向の長さを計測して所定の長さに外壁材を切断できるから、外壁材の切断作業と、外壁材の高さ方向の取付け位置の調整と、が容易になり、外壁材の高さ方向の取付け位置が一定になる。
また、外壁材の上端部の見切りは、後付け式の上記建物外壁の張り仕舞い用見切り金具を使用して行っているから、外壁材の上端部と軒天部または窓周り部との間の見切りを建物外壁の張り仕舞い用見切り金具を外方からワンタッチで挿し込むだけで実行できるようになり、見切り金具の取付け作業が容易になる。また、外壁材の張り替え作業の際にも建物外壁の張り仕舞い用見切り金具を手前に引き抜くことによって簡単に取り外すことができるから、外壁材の張り替え作業も容易になる。
【図面の簡単な説明】
【００１９】
【図１】本発明の実施の形態を示す図で、建物外壁の張り仕舞い用見切り金具の適用対象となる軒天部と窓周り部を備えた建物の一例を示す斜視図である。
【図２】本発明の実施の形態を示す図で、建物外壁の張り仕舞い用見切り金具を使用した建物外壁の張り仕舞い構造の一例を示す側断面図である。
【図３】本発明の実施の形態を示す図で、建物外壁の張り仕舞い用見切り金具を使用した建物外壁の張り仕舞い構造の他の一例を示す側断面図である。
【図４】本発明の実施の形態を示す図で、建物外壁の張り仕舞い用見切り金具を示す側面図である。
【図５】本発明の実施の形態の変形例を示す図で、建物外壁の張り仕舞い用見切り金具を示す側断面図である。
【図６】本発明の実施の形態の変形例を示す図で、建物外壁の張り仕舞い用見切り金具を示す背面図である。
【図７】本発明の実施の形態の変形例を示す図で、建物外壁の張り仕舞い用見切り金具を示す平面図である。
【図８】本発明の実施の形態を示す図で、建物外壁の上端部と軒天部との間に後付け式の建物外壁の張り仕舞い用見切り金具を使用し、建物外壁の下端部に見切り金具を使用しない場合の建物外壁の張り仕舞い構造を模式的に示す側断面図である。
【図９】本発明の実施の形態を示す図で、建物外壁の上端部と軒天部との間に後付け式の建物外壁の張り仕舞い用見切り金具を使用し、建物外壁の下端部に先付け式の見切り金具と水切り金具を使用した場合の建物外壁の張り仕舞い構造を模式的に示す側断面図である。
【図１０】本発明の実施の形態を示す図で、窓周り部上方の外壁材と、下方の外壁材のそれぞれの上端部に後付け式の建物外壁の張り仕舞い用見切り金具を使用し、窓周り部上方の外壁材の下端部に先付け式の見切り金具を使用した場合の建物外壁の張り仕舞い構造を模式的に示す側断面図である。
【図１１】従来例を示す図で、建物外壁の上端部と軒天部との間に先付け式の見切り金具を使用し、建物外壁の下端部に見切り金具を使用しない場合の建物外壁の張り仕舞い構造を模式的に示す側断面図である。
【図１２】従来例を示す図で、建物外壁の上端部と軒天部との間に先付け式の見切り金具を使用し、建物外壁の下端部に先付け式の見切り金具と水切り金具を使用した場合の建物外壁の張り仕舞い構造を模式的に示す側断面図である。
【図１３】従来例を示す図で、建物外壁の上端部と軒天部との間に先付け式の見切り金具を使用し、建物外壁の下端部に見切り金具を使用しないで水切り金具のみを使用した場合の建物外壁の張り仕舞い構造を模式的に示す側断面図である。
【図１４】本発明の実施の形態を示す図で、建物外壁の張り仕舞い部の施工方法の各工程を施工手順に従って段階的に示す説明図である。
【発明を実施するための形態】
【００２０】
以下、図示の実施の形態を例にとって、本発明の建物外壁の張り仕舞い用見切り金具、張り仕舞い構造及び張り仕舞い部の施工方法について説明する。最初に、図１に基づいて本発明の建物外壁の張り仕舞い用見切り金具が適用される建物の外観構成の概略について簡単に説明する。次に、図２及び図３に基づいて本発明の建物外壁の張り仕舞い用見切り金具を建物の軒天部に適用する場合と建物の窓周り部に適用する場合とに分けて本発明の建物外壁の張り仕舞い構造について具体的に説明する。
続いて、本発明の建物外壁の張り仕舞い用見切り金具の構成をその変形例の構成と併せて図４〜図７に基づいて具体的に説明する。
【００２１】
次に、本発明の建物外壁の張り仕舞い構造を複数の態様に分けて、従来の建物外壁の張り仕舞い構造と比較して図８〜図１３に基づいて具体的に説明する。
次に、このようにして構成される建物外壁の張り仕舞い用見切り金具を使用することによって実行される本発明の建物外壁の張り仕舞い部の施工方法の内容を図１４に基づいて具体的に説明し、最後に上記実施の形態とは部分的構成を異にする建物外壁の張り仕舞い用見切り金具、張り仕舞い構造及び張り仕舞い部の施工方法の他の実施の形態の構成と内容について言及する。
【００２２】
（１）建物の外観構成の概略（図１参照）
本発明の建物外壁の張り仕舞い用見切り金具１１が適用される建物１は、基礎Ｂの上に立ち上げられる間柱６や胴縁７を備える構造躯体２を有している。そして、構造躯体２の外周には窯業系のサイディングボードや、例えばガルバリウム鋼板（登録商標）によって形成される角波板金等からなる金属系のサイディングボードを外壁材５０とする建物外壁５が張設されている。
また、建物１の上面には屋根１０が設けられており、屋根１０が建物外壁５から外方にはみ出した部分が軒１０ａになり、軒１０ａの下面の建物外壁５と接続される部分が軒天部８となる。
【００２３】
また、建物外壁５の一部をくり貫くことによって窓９ａのサッシフレームＦや扉９ｂ等が設けられており、これらの周囲の建物外壁５と接続される部分が窓周り部９となる。
そして、本発明の建物外壁の張り仕舞い用見切り金具１１は、上述した軒天部８と窓周り部９における外壁材５０の上端部２７における見切りに使用される。
【００２４】
（２）建物外壁の張り仕舞い構造の具体的構成（図２及び図３参照）
次に、本発明の建物外壁の張り仕舞い構造３を、本発明の建物外壁の張り仕舞い用見切り金具１１を建物１の軒天部８に適用する場合と、建物１の窓周り部９に適用する場合とに分けて具体的に説明する。
（Ａ）軒天部に適用する場合（図２参照）
本発明の建物外壁の張り仕舞い用見切り金具１１を建物１の軒天部８に適用する場合には、図示のように外壁材５０Ａの上端部２７と建物１の軒天部８との間の見切りに、後述する本発明の後付け式の見切り金具１１を使用し、外壁材５０Ａの下端部２８の見切りに、先付け式の見切り金具１３を使用する。
【００２５】
具体的には、基礎Ｂの上に構造躯体２の一部である間柱６等を立ち上げ、その外面に胴縁７をビス２９で取り付ける。そして、胴縁７の外面に同じくビス２９で外壁材５０Ａを取り付ける。
また、外壁材５０Ａの下端部２８における背面の胴縁７には、一例として図示のようにクランク状に折り曲げられた形状の水切り金具１４が同じくビス２９を使用して取り付けられている。
【００２６】
そして、このようにして取り付けられる外壁材５０Ａの上端部２７と下端部２８の見切りに、本実施形態による建物外壁の張り仕舞い構造３Ａが適用される。即ち、外壁材５０Ａの上端部２７の見切りには、外壁材５０Ａの上端面２７ａと軒天部８との間の空間１５ａを埋めて外壁材５０Ａの上端面２７ａの切り口を隠すことができる後述する本発明の後付け式の見切り金具１１を建物１の外方から内方に向けて挿し込むことによって取り付け、後付け式の見切り金具１１と軒天部８との当接部の隙間にシーリング材３１を充填する。また、図示は省略するが後付け式の見切り金具１１と外壁材５０Ａの上端部２７との当接部の隙間にもシーリング材３１を充填することが可能である。
一方、外壁材５０Ａの下端部２８の見切りには、図示のような角溝型の先付け式の見切り金具１３を使用して、ビス２９で胴縁７に固定することで当該先付け式の見切り金具１３を取り付ける。
【００２７】
（Ｂ）窓周り部に適用する場合（図３参照）
本発明の建物外壁の張り仕舞い用見切り金具１１を建物１の窓周り部９に適用する場合には、図示のように窓周り部９の上部の軒天部８に接続される外壁材５０Ｂに対しては、外壁材５０Ｂの上端部２７と建物１の軒天部８との間の見切りに後述する本発明の後付け式の見切り金具１１を使用し、当該外壁材５０Ｂの下端部２８の見切りに、先付け式の見切り金具１３を使用する。
一方、窓周り部９の下部の外壁材５０Ｃに対しては、外壁材５０Ｃの上端部２７と窓周り部９との間の見切りに、後述する本発明の後付け式の見切り金具１１Ｃを使用し、当該外壁材５０Ｃの下端部２８の見切りに、図示は省略するが上記と同様、先付け式の見切り金具１３を使用する。
【００２８】
具体的には、窓９ａや扉９ｂを取り付けるための枠体３３を間柱６間のスペース等を利用して構造躯体２に設けると共に、該枠体３３や間柱６等の外面にビス２９を使用して銅縁７を取り付ける。
また、胴縁７の外面にも同じくビス２９を使用して外壁材５０Ｃを取り付ける。更に、外壁材５０Ｃの下端部２８における背面の胴縁７にも、図示は省略するが上記と同じ水切り金具１４が同じくビス２９を使用して取り付けられている。
【００２９】
そして、このようにして取付けられる外壁材５０Ｂと外壁材５０Ｃのそれぞれ上端部２７と下端部２８の見切りに、本実施形態による建物外壁の張り仕舞い構造３Ｂが適用される。即ち、窓周り部９の上部に設けられる外壁材５０Ｂと下部に設けられる外壁材５０Ｃのそれぞれの上端部２７の見切りには、外壁材５０Ｂの上端面２７ａと軒天部８との間の空間１５Ｂまたは外壁材５０Ｃの上端面２７ａとサッシフレームＦとの間の空間１５Ｃを埋めて外壁材５０Ｂ、５０Ｃのそれぞれの上端面２７ａの切り口を隠すことができる後述する、本発明の後付け式見切り金具１１、１１Ｃを建物１の外方から内方に向けて挿し込むことによって取り付ける。
【００３０】
また、後付け式の見切り金具１１と軒天部８との当接部と、後付け式の見切り金具１１とサッシフレームＦとの当接部にシーリング材３１を充填する。また、後付け式の見切り金具１１と外壁材５０Ｂ、後付け式の見切り金具１１Ｃと外壁材５０Ｃのそれぞれの上端部２７との当接部と、の隙間にも必要に応じてシーリング材３１を充填することが可能である。
一方、外壁材５０Ｂ、５０Ｃの下端部２８の見切りには、上記と同様の角溝型の先付け式の見切り金具１３を使用して、ビス２９で胴縁７に固定することで当該先付け式の見切り金具１３を取り付ける。また、先付け式の見切り金具１３とサッシフレームＦの間にもシーリング材３１を充填する。
【００３１】
（３）建物外壁の張り仕舞い用見切り金具の具体的構成（図４〜図７参照）
本発明の建物外壁の張り仕舞い用見切り金具１１は、建物１の軒天部８や窓周り部９の外壁材５０Ａ、５０Ｂ、５０Ｃの上端部２７の張り仕舞い工事に使用される見切り金具であって、外壁材５０Ａ、５０Ｂ、５０Ｃの上端部２７の外面に宛がわれる、外面に沿った垂直方向（高さ方向Ｚと一致）に延びる見切り板２１と、該見切り板２１の基端部から外壁材５０Ａ、５０Ｂ、５０Ｃの厚みＴ分、内方に折り曲げて水平方向（奥行き方向Ｙと一致）に延びる水平折曲げ部２２と、該水平折り曲げ部２２の終端を斜め外方に折り返し、その先端２５ａを外壁材５０Ａ、５０Ｂ、５０Ｃの上端面２７ａに当接させる、バネ性を有する傾斜折り曲げ部２３と、を備えることによって基本的に構成されている。
そして、このようにして構成される見切り金具１１は、外壁材５０Ａ、５０Ｂ、５０Ｃの設置後に取り付けられる後付け挿込み式の見切り金具であることを特徴としている。
【００３２】
更に、本実施の形態では、上記傾斜折曲げ部２３は、上記水平折曲げ部２２の終端に対して所定の第１折曲げ角度θ１で接続される第１傾斜折曲げ部２４と、該第１傾斜折り曲げ部２４の終端に対して上記第１折曲げ角度θ１より小さな第２折曲げ角度θ２で接続される第２傾斜折曲げ部２５と、を備えることによって構成されている。
【００３３】
因みに、図示の実施の形態では、第１折曲げ角度θ１が約１４５°、第２折曲げ角度θ２が約３０°でθ１＞θ２であり、θ１＋θ２＜１８０°の関係になっている。これに伴って、傾斜折曲げ部２３は、前面の見切り板２１側が低くなる、下り傾斜になっている。
また、負荷が掛かっていない状態での傾斜折曲げ部２３の高さＨ１は、外壁材５０Ａ、５０Ｂ、５０Ｃの上端面２７ａと、その上方に位置する軒天部８やサッシフレームＦとの間にできる空間１５Ａ、１５Ｂ、１５Ｃの高さＨ２よりも高くなっており、これにより当該後付け式の見切り金具１１を取り付けた場合に傾斜折曲げ部２３のバネ性が発揮されて後付け式の見切り金具１１が係止状態で上述したそれぞれの部位に取り付けられるようになっている。尚、実際は本発明の建物外壁の張り仕舞い用見切り金具１１の傾斜折曲げ部２３の高さＨ１に合わせて、上記空間１５Ａ、１５Ｂ、１５Ｃの高さＨ２を定めておき、その空間１５Ａ、１５Ｂ、１５Ｃの高さＨ２になるように外壁材５０Ａ、５０Ｂ、５０Ｃの高さ方向Ｚの長さＬを調整する。
【００３４】
また、本実施の形態による建物外壁の張り仕舞い用見切り金具１１は、例えばガルバリウム鋼板（登録商標）によって形成される１枚の平板状の板材を折り曲げることによって形成されており、その幅方向Ｘの長さは、取り付ける外壁材５０Ａ、５０Ｂ、５０Ｃの幅方向Ｘの長さに合わせて適宜つなぎ合わせ、切断することによって調整される。
また、外壁材５０Ａ、５０Ｂ、５０Ｃの前面に現れる見切り板２１の先端部２１ａは、図示のように内側に折り返されていて、見切り板２１のエッジで手や指を切らないようにしている。また、このように折り返した先端部２１ａとすることで、一旦、取り付けた建物外壁の張り仕舞い用見切り金具１１を取り外す場合の手掛かりとして、上記先端部２１ａを利用することが可能になる。
【００３５】
更に、窓周り部９の下部に取り付けられる建物外壁の張り仕舞い用見切り金具１１Ｃについては、図５〜図７に示すように通気口１７が設けられた見切り金具を一例として使用する。
具体的には、水平折り曲げ部２２と傾斜折り曲げ部２３の接続部となる屈曲点Ｃを挟んで水平折曲げ部２２と傾斜折曲げ部２３のそれぞれの一部に跨るように、一例として角穴状の通気孔１７を幅方向Ｘに所定ピッチＰで複数設けた建物外壁の張り仕舞い用見切り金具１１Ｃを使用する。
【００３６】
尚、通気孔１７の形成に当たっては一例としてパンチングプレスが使用でき、平板状の出発材料に対してパンチングプレスで複数の通気口１７を形成し、その後、上記所定の形状に折り曲げることによって建物外壁の張り仕舞い用見切り金具１１Ｃを形成する。
因みに、このような通気口１７を設けた建物外壁の張り仕舞い用見切り金具１１Ｃを使用することによって、窓周り部９において建物１の内部からの風が例えば胴縁７と外壁材５０Ｃとの隙間１６を通って通気口１７から外壁材５０ＣとサッシフレームＦの間の空間１５Ｃ内に進入する。そして、外壁材５０Ｃと建物外壁の張り仕舞い用見切り金具１１Ｃの見切り板２１との間の隙間１６等を通って建物１の外部に抜けるため、通気性が向上する。
【００３７】
（４）本発明の建物外壁の張り仕舞い構造と従来の建物外壁の張り仕舞い構造との比較（図８〜図１３参照）
図８は、軒天部８と外壁材５０Ａの上端部２７との間のみに本発明の後付け式の見切り金具１１を取り付け、外壁材５０Ａの下端部２８の見切りを行わない場合の建物外壁の張り仕舞い構造３Ａを示している。また、図１１は軒天部８と外壁材５０Ａの上端部２７との間のみに後付け式の見切り金具１２を取り付け、外壁材５０Ａの下端部２８の見切りを行わない場合の従来の建物外壁の張り仕舞い構造１０３Ａを示している。
この場合は、本発明の後付け式の見切り金具１１を使用した場合でも、従来の先付け式の見切り金具１２を使用した場合でも、外壁材５０Ａの上端面２７ａと軒天部８との間に形成される空間１５Ａの高さＨ２はほぼ同じで、外壁材５０Ａの高さ方向Ｚの長さＬもほぼ同じに調整できる。
【００３８】
図９は、外壁材５０Ａの上端面２７と軒天部８との間に本発明の後付け式の見切り金具１１を取り付け、外壁材５０Ａの下端部２８に先付け式の見切り金具１３を取り付けた場合の建物外壁の張り仕舞い構造３Ｂを示している。また、図１２は、軒天部８と外壁材５０Ａの上端部２７との間に先付け式の見切り金具１２を取り付け、外壁材５０Ａの下端部２８に先付け式の見切り金具１３を同じく取り付けた場合の建物外壁の張り仕舞い構造１０３Ｂを示している。
この場合は、図９に示す本発明の建物外壁の張り仕舞い構造３Ｂでは上記図８に示す建物外壁の張り仕舞い構造３Ａと同様、外壁材５０Ａの上端面２７ａと軒天部８との間の空間１５Ａの高さＨ２は良好に保たれているのに対して、図１２に示す建物外壁の張り仕舞い構造１０３Ｂでは、先付け式の２つの見切り金具１２、１３間のスペースに外壁材５０Ａを納める都合上、外壁材５０Ａの高さ方向Ｚの長さが短くなってＬ０になる（Ｌ０＜Ｌ）ため、外壁材５０Ａの上端面２７と軒天部８との間の空間１５Ａの高さがその見付け幅Ｗと同じＨ３（Ｈ３＝Ｗ）になってしまい、上記図９に示す空間１５Ａの高さＨ２より大きくなってしまう（Ｈ３＞Ｈ２）。
【００３９】
従って、図１２に示すような高さ方向Ｚの長さがＬ０と、短い外壁材５０Ａは使用できないので、従来は、図１３に示すような外壁材５０Ａの下端部２８の先付け式の見切り金具１３を取り外した建物外壁の張り仕舞い構造１０３Ｃにするより致し方なかった。
しかし、このような構造の建物外壁の張り仕舞い構造１０３は、高さ方向Ｚの位置合わせが難しく、外壁材５０Ａの下端部２８の見切りができないので外壁材５０Ａの下端部２８の切り口が露出してしまって見映えが悪くなってしまう。
【００４０】
図１０は、窓周り部９の上下の外壁材５０Ｂ、５０Ｃに見切り金具を適用した本発明の建物外壁の張り仕舞い構造３Ｄを示している。
具体的には、窓周り部９の上部の外壁材５０Ｂについては、外壁材５０Ｂの上端部２７と軒天部８との間に本発明の後付け式の見切り金具１１を取り付け、外壁材５０Ｂの下端部２８に通水口１９が形成された先付け式の見切り金具１３Ｂを取り付けている。一方、窓周り部９の下部の外壁材５０Ｃについては、外壁材５０Ｃの上端部２７とサッシフレームＦとの間に通気口１７が形成された本発明の後付け式の見切り金具１１Ｃを取り付け、外壁材５０Ｃの下端部２８に図示は省略するが、先付け式の見切り金具１３を取り付けている。
【００４１】
このように外壁材５０Ｂ、５０Ｃの上端部２７の見切りには、後付け式の本発明の建物外壁の張り仕舞い見切り金具１１、１１Ｃを使用するため、外壁材５０Ｂの上端部２７と軒端部８との間と、外壁材５０Ｃの上端部２７とサッシフレームＦとの間の空間１５Ｂ、１５Ｃの高さＨ２分の余裕が確保してあればよく、しかも後付け式の見切り金具であるから施工も容易になる。
また、外壁材５０Ｂ、５０Ｃの張り替え作業の際にも、上記後付け式の見切り金具１１、１１Ｃは、ワンタッチで容易に取り外すことができるから外壁材５０Ｂ、５０Ｃの張り替え作業が容易になる。
【００４２】
（５）建物外壁の張り仕舞い部の施工方法の内容（図１４参照）
次に、このようにして構成される建物外壁の張り仕舞い用見切り金具１１、１１Ｃを使用することによって実行される本発明の建物外壁の張り仕舞い部の施工方法の内容を図１４に基づいて具体的に説明する。尚、図１４では建物の張り仕舞い用見切り金具１１を使用して建物１の軒天部８に適用する張り仕舞い部の施工方法を図示している。
即ち、この建物外壁の張り仕舞い部の施工方法は、外壁材５０の張り仕舞い工事に使用される見切り金具１１、１３を使用した建物１の軒天部８に適用される張り仕舞い部４の施工方法であって、見切り金具先付け工程Ｓ１と、外壁材設置工程Ｓ２と、見切り金具後付け工程Ｓ３と、の３つの工程を備えることによって基本的に構成されている。以下、これら３つの工程を順番に具体的に説明する。
【００４３】
（Ａ）見切り金具先付け工程（図１４（ａ）参照）
見切り金具先付け工程Ｓ１は、建物１の構造躯体２における外壁材５０の下端部２８の取付け位置に先付け式の見切り金具１３を取り付ける工程である。
即ち、水切り金具１４が一例として取付けられている胴縁７等を利用してビス２９により先付け式の見切り金具１３を所定の位置に取り付ける。
【００４４】
（Ｂ）外壁材設置工程（図１４（ｂ）参照）
外壁材設置工程Ｓ２は、上記取り付けた先付け式の見切り金具１３に対して外壁材５０の下端部２８を挿入して支持させた状態で、外壁材５０の上方に必要な空間１５を確保し得る長さＬに切断された外壁材５０を構造躯体２に取り付ける工程である。
即ち、外壁材５０の上方の空間１５の高さＨ２になるように外壁材５０を切断して、外壁材５０の下端部２８を前工程で取り付けた先付け式の見切り金具１３の凹部１３ａ内に挿入し支持させた状態でビス２９を利用して胴縁７に外壁材５０を固定する。
【００４５】
（Ｃ）見切り金具後付け工程（図１４（ｃ）参照）
見切り金具後付け工程Ｓ３は、外壁材５０の上方の空間１５を埋めるように、本発明の後付け式の見切り金具１１を外方から挿入して取り付ける工程である。
この場合、本発明の後付け式の見切り金具１１の傾斜折曲げ部２３の高さＨ１は、上記空間１５の高さＨ２よりも高くなるように形成されている（Ｈ１＞Ｈ２）ため、傾斜折曲げ部２３のバネ作用が働いて、ワンタッチで後付け式の見切り金具１１を取り付けることができるようになっている。
【００４６】
そして、このようにして構成される本実施の形態による建物外壁の張り仕舞い用見切り金具１１、張り仕舞い構造３及び張り仕舞い部４の施工方法によれば、建物１の軒天部８や窓周り部９における外壁材５０の張り仕舞い工事において、外壁材５０の納まりが良く、外壁材５０の上端部２７に形成される空間１５の高さＨ２を小さくすることができる。
また、ワンタッチで装着できる建物外壁の張り仕舞い用見切り金具１１を使用することによって外壁材５０の端部での見切り作業が容易になり、作業効率が向上する。更に、窓周り部９に適用される見切り金具として通気口１７が形成された本発明の建物外壁の張り仕舞い用見切り金具１１Ｃを使用した場合には、当該見切り金具１１Ｃの使用部位の通気性が向上する。
【００４７】
［他の実施の形態］
本発明の建物外壁の張り仕舞い用見切り金具１１、張り仕舞い構造３及び張り仕舞い部４の施工方法は、上述した実施の形態のものに限定されず、その説明の要旨内での変更が可能である、
例えば、第１傾斜折曲げ部２４の第１折曲げ角度θ１と第２傾斜折曲げ部２５の第２折曲げ角度θ２の値は、上記実施の形態の説明の中で述べた数値に限らず、θ１＞θ２と、θ１＋θ２＜１８０°と、の二つの関係を有する範囲で種々の大きさの数値を採用することが可能である。この他、第１傾斜折曲げ部２４の長さを長くして傾斜折曲げ部２３を第１傾斜折曲げ部２４のみによって構成することも可能である。また、傾斜折曲げ部２３を湾曲形状とすることも可能である。
【００４８】
また、建物外壁の張り仕舞い用見切り金具１１Ｃに対して設けられる通気口１７の形状は、角穴形状に限らず、長円形状、スリット形状、円形状等、種々の形状のものが採用可能である。また、通気口１７は、水平折曲げ部２２と第１傾斜折曲げ部２４の接続部を挟んだ領域に加えて、水平折曲げ部２２と見切り板２１の接続部を挟んだ領域等に設けることが可能である。
【産業上の利用可能性】
【００４９】
本発明の建物外壁の張り仕舞い用金具、張り仕舞い構造及び張り仕舞い部の施工方法は、建物の軒天部や窓周り部の外壁材の張り仕舞い工事を行っている施工分野等で利用でき、特に、外壁材を納まり良く、効率良く取り付けて工期の短縮や作業負担の軽減を図りたい場合に利用可能性を有する。
【符号の説明】
【００５０】
１  建物
２  構造躯体
３  建物外壁の張り仕舞い構造
４  張り仕舞い部
５  建物外壁
６  間柱
７  胴縁
８  軒天部
９  窓周り部
９ａ  窓
９ｂ  扉
１０  屋根
１０ａ  軒
１１  建物外壁の張り仕舞い用見切り金具（後付け式の見切り金具）
１２  （外壁材上端部用の）先付け式の見切り金具
１３  （外壁材下端部用の）先付け式の見切り金具
１３ａ  凹部
１４  水切り金具
１５  空間
１６  隙間
１７  通気口
１８  シーリング材
１９  通水口
２１  見切り板
２１ａ  先端部
２２  水平折曲げ部
２３  傾斜折曲げ部
２４  第１傾斜折曲げ部
２５  第２傾斜折曲げ部
２５ａ  先端
２７  上端部
２７ａ  上端面
２８  下端部
２８ａ  下端面
２９  ビス
３１  シーリング材
３３  枠体
５０  外壁材
Ｂ  基礎
Ｘ  幅方向
Ｙ  奥行き方向（水平方向）
Ｚ  高さ方向（垂直方向）
Ｌ  長さ
Ｗ  見付け幅
Ｔ  厚み
θ１  第１折曲げ角度
θ２  第２折曲げ角度
Ｆ  サッシフレーム
Ｈ  高さ
Ｃ  屈曲点
Ｐ  ピッチ
Ｓ１  見切り金具先付け工程
Ｓ２  外壁材設置工程
Ｓ３  見切り金具後付け工程
【図１】
2020090820.tif 000003
【図２】
2020090820.tif 000004
【図３】
2020090820.tif 000005
【図４】
2020090820.tif 000006
【図５】
2020090820.tif 000007
【図６】
2020090820.tif 000008
【図７】
2020090820.tif 000009
【図８】
2020090820.tif 000010
【図９】
2020090820.tif 000011
【図１０】
2020090820.tif 000012
【図１１】
2020090820.tif 000013
【図１２】
2020090820.tif 000014
【図１３】
2020090820.tif 000015
【図１４】
2020090820.tif 000016